(57)【特許請求の範囲】
【請求項１】
上面が開放した凹部を有するボックス本体と、
前記凹部の対向する一方の内側の略中央に回動自在に設けられ、水平状態で対向してホルダー孔の一部を形成する切欠部を有し、ホルダー孔を形成しない上下方向を向いた状態で前記凹部内を区画する仕切として機能する一対のホルダー部材と、
この一対のホルダー部材を、前記凹部の底から所定の高さに、略水平に係止する係止手段と、
を備えるカップホルダー構造。
【請求項２】
上面が開放した凹部を有するボックス本体と、
前記凹部の対向する一方の内側の略中央に回動自在に設けられ、水平状態で対向してホルダー孔の一部を形成する切欠部を有し、ホルダー孔を形成しない上下方向を向いた状態で前記凹部内を区画する仕切として機能する一対のホルダー部材と、
この一対のホルダー部材を、回動中心端側を下にして立てた状態で倒れないように維持する係脱可能なロック手段と、
前記凹部の内面に設けられ、前記一対のホルダー部材を、前記凹部の底から所定高さに、略水平に係止する係止手段と、
を備えるカップホルダー構造。
【請求項３】
請求項１または請求項２に記載のカップホルダー構造において、
前記一対のホルダー部材を連結し、同期して回動させるリンク機構を設けた、  ことを特徴とするカップホルダー構造。
【請求項４】
請求項１から請求項３のいずれか１項に記載のカップホルダー構造において、
前記凹部の底に、前記一対のホルダー部材で固定できない被保持体の底部分を位置決めする窪みを設けた、
ことを特徴とするカップホルダー構造。
【発明の詳細な説明】
【０００１】
【発明の属する技術分野】
この発明は、例えば車両のコンソールボックスなどに適用し、被保持体である飲料の容器、例えばカップ、缶などを倒れないように保持することのできるカップホルダー構造に関するものである。
【０００２】
【従来の技術】
従来、車両において、小物入れとしてコンソールボックスが使用されている。しかし、車両内で缶飲料を飲んだ場合、飲みかけの缶飲料を倒れないように保持させることのできるカップホルダーが必要になる。
そこで、コンソールボックスに、必要に応じて利用できるカップホルダーの機能を持たせ、コンソールボックスを小物入れまたはカップホルダーとして利用できるようにしている。
【０００３】
このように、コンソールボックスにカップホルダーの機能を持たせる場合、コンソールボックスの開放部、すなわち凹部の一端縁を回動中心とする外蓋および内蓋を設け、外蓋に、内蓋を外蓋の開閉に連動させることのできる係脱自在な係止手段を設けるとともに、内蓋にホルダー孔を設けたものが、例えば実開昭５９−１２１２５７号公報に開示されている。
また、コンソールボックスの対向する一方の凹部端に、水平状態に対向してホルダー孔の一部を形成する切欠部を有した一対のホルダー部材を回動自在に設け、この一対のホルダー部材を連結し、同期して回動させるリンク機構を設けるとともに、一対のホルダー部材を使用位置と不使用位置とに保持する規制手段を設けたものが、例えば実開平４−５１３８号公報に開示されている。
【０００４】
【発明が解決しようとする課題】
従来の上記した各コンソールボックスは、飲みかけの缶飲料を倒れないように保持させることができるものの、カップホルダーとして使用しない状態では凹部内が区画されない１つの状態である。
したがって、小物を仕分けして凹部内に収容させることができなかった。
また、径の異なる複数の缶飲料を保持できるようにする場合、缶径に応じたホルダー孔を複数設けなければならないので、コンソールボックスが大きくなってしまうという不都合があった。
【０００５】
この発明は、上記したような不都合を解消するためになされたもので、カップホルダーとして使用しない状態では凹部内を２つに分割でき、１つのホルダー孔に複数の大きさの被保持体を挿入して保持させることのできるカップホルダー構造を提供するものである。
【０００６】
【課題を解決するための手段】
この発明にかかるカップホルダー構造は、上面が開放した凹部を有するボックス本体と、凹部の対向する一方の内側の略中央に回動自在に設けられ、水平状態で対向してホルダー孔の一部を形成する切欠部を有し、ホルダー孔を形成しない上下方向を向いた状態で凹部内を区画する仕切として機能する一対のホルダー部材と、この一対のホルダー部材を、凹部の底から所定の高さに、略水平に係止する係止手段とを備えるものである。
または、上面が開放した凹部を有するボックス本体と、凹部の対向する一方の内側の略中央に回動自在に設けられ、水平状態で対向してホルダー孔の一部を形成する切欠部を有し、ホルダー孔を形成しない上下方向を向いた状態で凹部内を区画する仕切として機能する一対のホルダー部材と、この一対のホルダー部材を、回動中心端側を下にして立てた状態で倒れないように維持する係脱可能なロック手段と、凹部の内面に設けられ、一対のホルダー部材を、凹部の底から所定高さに、略水平に係止する係止手段とを備えるものである。
そして、一対のホルダー部材を連結し、同期して回動させるリンク機構を設けたり、さらに、凹部の底に、一対のホルダー部材で固定できない被保持体の底部分を位置決めする窪みを設けるのが望ましい。
【０００７】
【発明の実施の形態】
以下、この発明の実施形態を図に基づいて説明する。
図１はこの発明の一実施形態であるカップホルダー構造をセンターコンソールに適用して蓋を開放した状態の概略を示す斜視図、図２はカップホルダー構造の構成部品を示す分解斜視図、図３は第１ホルダー部材と第２ホルダー部材とをロックさせて立たせた状態の正面図、図４は図３の状態における平面図、図５は図３の状態における右側面図、図６は第１および第２ホルダー部材を水平状態に係止させた状態の正面図、図７は図６の状態における平面図、図８は図６の状態における右側面図、図９は各被保持物を保持させた状態の説明図である。
【０００８】
これらの図において、１１はボックス本体としてのセンターコンソール、２１はベース、３１Ｌは第１ホルダー部材、３１Ｒは第２ホルダー部材、４１Ａは第１アーム、４１Ｂは第２アーム、５１はストッパを示し、プラスチックなどで構成されている。
Ｂ，Ｍ，Ｓは直径の異なる被保持体を示し、直径の一番大きな被保持体Ｂは、例えばカップであり、直径が二番目に大きな被保持体Ｍは、例えばジュース缶であり、直径が三番目に大きな被保持体Ｓは、例えば珈琲缶である。
【０００９】
上記したセンターコンソール１１には、図１に示すように、上面が開放した凹部１２が設けられている。
そして、凹部１２内には、図７に示すように、前後方向で対向する内側にベース２１を嵌めた状態に取り付けるための取付凹部１３Ｆ，１３Ｂが上下方向に設けられ、図８に示すように、左右方向で対向の内側に段部１４Ｌ，１４Ｒが水平方向に設けられるとともに、図９に示すように、被保持体Ｂの大きさのホルダー孔に対応する底に、被保持体Ｍに対応する第１窪み１５Ａおよび被保持体Ｓに対応する第２窪み１５Ｂが設けられている。
なお、第１および第２窪み１５Ａ，１５Ｂは同心の円形で、周面を下方へわずかに縮閉させて被保持体Ｍまたは被保持体Ｓをガイドするように構成されている。
【００１０】
上記したベース２１は、センターコンソール１１の取付凹部１３Ｆまたは取付凹部１３Ｂに嵌まる大きさで、ビスで取付凹部１３Ｆまたは取付凹部１３Ｂに固定される。
そして、ベース２１には、下方に水平方向に２つの軸支孔２２が設けられ、上方の中央に突起２３が設けられるとともに、矩形の孔２４ａの下側に孔２４ａよりも幅の狭い孔２４ｂが連なったガイド溝２４が上下方向に設けられている。
【００１１】
上記した第１ホルダー部材３１Ｌは、板状で、裏面に補強用のリブが設けられている。
そして、第１ホルダー部材３１Ｌには、ベース２１の軸支孔２２に挿入される軸３２Ｌ，３３Ｌが前後に設けられ、第２ホルダー部材３１Ｒの切欠部３４Ｒとホルダー孔を形成する切欠部３４Ｌが設けられ、軸３２Ｌ，３３Ｌからわずかに離れた前後方向に、端面から軸支孔３５Ｌ，３６Ｌが設けられ、この軸支孔３５Ｌ，３６Ｌに連通する矩形の孔３７Ｌ，３８Ｌが軸支孔３５Ｌ，３６Ｌと直交方向に設けられている。
【００１２】
さらに、第１ホルダー部材３１Ｌの回動端側には、爪部が前後方向に向き、保護部３９Ｌで保護された所定の弾性を有する係合爪４０Ｌが上面に直交させて設けられている。
そして、軸３２Ｌ，３３Ｌには、先端に円錐台形状をした抜け防止用の鍔３２ａ，３３ａと、この鍔３２ａ，３３ａが軸支孔２２へ挿入されたときに撓めるように割溝３２ｂ，３３ｂとが設けられている。
【００１３】
上記した第２ホルダー部材３１Ｒは、板状で、裏面に補強用のリブが設けられている。
そして、第２ホルダー部材３１Ｒには、ベース２１の軸支孔２２に挿入される軸３２Ｒ，３３Ｒが前後に設けられ、第１ホルダー部材３１Ｌの切欠部３４Ｌとホルダー孔を形成する切欠部３４Ｒが設けられ、軸３２Ｌ，３３Ｌからわずかに離れた前後方向に、端面から軸支孔３５Ｒ，３６Ｒが設けられ、この軸支孔３５Ｒ，３６Ｒに連通する矩形の孔３７Ｒ，３８Ｒが軸支孔３５Ｒ，３６Ｒと直交方向に設けられている。
【００１４】
さらに、第２ホルダー部材３１Ｒの回動端側には、第１ホルダー部材３１Ｌの保護部３９Ｌおよび係合爪４０Ｌが入る矩形状の切欠部３９Ｒが設けられている。
そして、軸３２Ｒ，３３Ｒには、先端に円錐台形状をした抜け防止用の鍔３２ａ，３３ａと、この鍔が軸支孔２２へ挿入されたときに撓めるように割溝３２ｂ，３３ｂとが設けられている。
なお、第１ホルダー部材３１Ｌと第２ホルダー部材３１Ｒとは、保護部３９Ｌ、切欠部３９Ｒおよび係合爪４０Ｌを除けば、同一である。
【００１５】
上記した第１アーム４１Ａには、両端に反対方向へ延びる軸４２Ａ，４４Ａが設けられている。
そして、軸４２Ａの直径はベース２１の孔２４ｂの幅よりもわずかに小さく、軸４２Ａの先端には、ベース２１の孔２４ａと同じ矩形状をした抜け止め用の鍔４３Ａが設けられている。
また、軸４４Ａの直径は第１および第２ホルダー部材３１Ｌ，３１Ｒの軸支孔３５Ｒ，３６Ｌの直径よりもわずかに小さく、第１および第２ホルダー部材３１Ｌ，３１Ｒの孔３７Ｒ，３８Ｌに対応する軸４４Ａの部分に周回溝４５Ａが設けられている。
【００１６】
上記した第２アーム４１Ｂには、一端に第１アーム４１Ａの軸４２Ａおよび鍔４３Ａを中心で重ねた状態の孔４２Ｂが設けられ、他端に軸４４Ｂが設けられている。
そして、軸４４Ｂの直径は第１および第２ホルダー部材３１Ｌ，３１Ｒの軸支孔３５Ｌ，３６Ｒの直径よりもわずかに小さく、第１および第２ホルダー部材３１Ｌ，３１Ｒの孔３７Ｌ，３８Ｒに対応する軸４４Ｂの部分に周回溝４５Ｂが設けられている。
【００１７】
上記したストッパ５１は、第１または第２ホルダー部材３１Ｌ，３１Ｒの上面側から孔３７Ｌ，３７Ｒ，３８Ｌ，３８Ｒへ挿入されて第１または第２アーム４１Ａ，４１Ｂの周回溝４５Ａ，４５Ｂに入り、軸４４Ａ，４４Ｂを軸支孔３５Ｌ，３５Ｒ，３６Ｌ，３６Ｒから抜けないように保持するものである。
そして、軸４４Ａ，４４Ｂを保持した状態で、第１または第２ホルダー部材３１Ｌ，３１Ｒの上面と面一になる。
【００１８】
次に、取付の一例について説明する。
まず、第２アーム４１Ｂの孔４２Ｂに第１アーム４１Ａの鍔４３Ａを貫通させて軸４２Ａを孔４２Ｂに挿入させ、第１アーム４１Ａと第２アーム４１Ｂを広げると、鍔４３Ａが抜け止めとして機能し、第２アーム４１Ｂから第１アーム４１Ａが抜けなくなる。
そして、ベース２１の孔２４ａに第１アーム４１Ａの鍔４３Ａを貫通させて軸４２Ａを孔２４ａに挿入させた後、軸４２Ａを孔２４ｂまで下げると、鍔４３Ａが抜け止めとして機能し、ベース２１から第１および第２アーム４１Ａ，４１Ｂが抜けなくなる。
【００１９】
次に、前側になるベース２１の左側の軸支孔２２に第１ホルダー部材３１Ｌの鍔３２ａを貫通させて軸支孔２２に軸３２Ｌを挿入するとともに、第２アーム４１Ｂの軸４４Ｂを第１ホルダー部材３１Ｌの軸支孔３５Ｌへ挿入した後、孔３７Ｌへストッパ５１を挿入して周回溝４５Ｂに係合させると、鍔３２ａおよびストッパ５１が抜け止めとして機能し、軸支孔２２から軸３２Ｌが抜けなくなるとともに、軸支孔３５Ｌから軸４４Ｂが抜けなくなる。
【００２０】
そして、前側になるベース２１の右側の軸支孔２２に第２ホルダー部材３１Ｒの鍔３２ａを貫通させて軸支孔２２に軸３２Ｒを挿入するとともに、第１アーム４１Ａの軸４４Ａを第２ホルダー部材３１Ｒの軸支孔３５Ｒへ挿入した後、孔３７Ｒへストッパ５１を挿入して周回溝４５Ａに係合させると、鍔３２ａおよびストッパ５１が抜け止めとして機能し、軸支孔２２から軸３２Ｒが抜けなくなるとともに、軸支孔３５Ｒから軸４４Ａが抜けなくなる。
【００２１】
さらに、後ろ側になるベース２１の右側の軸支孔２２に第２ホルダー部材３１Ｒの鍔３３ａを貫通させて軸支孔２２に軸３３Ｒを挿入するとともに、第２アーム４１Ｂの軸４４Ｂを第２ホルダー部材３１Ｒの軸支孔３６Ｒへ挿入した後、孔３８Ｒへストッパ５１を挿入して周回溝４５Ｂに係合させると、鍔３３ａおよびストッパ５１が抜け止めとして機能し、軸支孔２２から軸３３Ｒが抜けなくなるとともに、軸支孔３６Ｒから軸４４Ｂが抜けなくなる。
【００２２】
また、後ろ側になるベース２１の左側の軸支孔２２に第１ホルダー部材３１Ｌの鍔３３ａを貫通させて軸支孔２２に軸３３Ｌを挿入するとともに、第１アーム４１Ａの軸４４Ａを第１ホルダー部材３１Ｌの軸支孔３６Ｌへ挿入した後、孔３８Ｌへストッパ５１を挿入して周回溝４５Ａに係合させると、鍔３３ａおよびストッパ５１が抜け止めとして機能し、軸支孔２２から軸３３Ｌが抜けなくなるとともに、軸支孔３６Ｌから軸４４Ａが抜けなくなる。
【００２３】
そして、上述のように組み立てた状態の前後のベース２１，２１を、センターコンソール１１の取付凹部１３Ｆ，１３Ｒへ上から挿入して嵌めた後、凹部１２の裏側からビスでベース２１，２１を取付凹部１３Ｆ，１３Ｒへ固定することにより、取付が完了する。
なお、前後のベース２１，２１をがたつかないように取付凹部１３Ｆ，１３Ｒに嵌めることができれば、ビスで固定しなくともよい。
【００２４】
次に、動作について説明する。
なお、センターコンソール１１の凹部１２を収納部としている状態、すなわち図３〜図５に示す状態では、第１および第２ホルダー部材３１Ｌ，３１Ｒが仕切として機能し、第１ホルダー部材３１Ｌの係合爪４０Ｌ，４０Ｌが第２ホルダー部材３１Ｒに係合している。
【００２５】
まず、凹部１２内をカップホルダーとする場合は、第１ホルダー部材３１Ｌと第２ホルダー部材３１Ｒとを軸３２Ｌ，３３Ｌ，３２Ｒ，３３Ｒを中心に回動させながら引き離すと、係合爪４０Ｌ，４０Ｌが自身の弾性で縮閉した後に拡開することにより、第１ホルダー部材３１Ｌと第２ホルダー部材３１Ｒとのロック状態が解除される。
【００２６】
そして、第１および第２ホルダー部材３１Ｌ，３１Ｒの回動端側が段部１４Ｌ，１４Ｒに当接すると、図６〜図８に示す状態、すなわち凹部１２の底から所定の高さに、水平状態となり、２つの切欠部３４Ｌ，３４Ｒによってホルダー孔が図７に示すように、形成され、段部１４Ｌ，１４Ｒで荷重を受けることができる。
したがって、このホルダー孔へ各被保持体Ｂ，Ｍ，Ｓを挿入すると、図９に示すように、被保持体Ｂは第１および第２ホルダー部材３１Ｌ，３１Ｒで保持され、被保持体Ｍは第１窪み１５Ａで底を位置決めされ、被保持体Ｓは第２窪み１５Ｂで底を位置決めされる。
【００２７】
このように被保持体Ｍ，Ｓは底を第１または第２窪み１５Ａ，１５Ｂで位置決めされ、周囲に第１および第２ホルダー部材３１Ｌ，３１Ｒが対峙しているので、安定性よく置くことができる。
そして、もし被保持体Ｍ，Ｓが倒れかかっても、対峙する第１および第２ホルダー部材３１Ｌ，３１Ｒで支えられるので、中の液体がこぼれることはない。
【００２８】
次に、凹部１２を収容部とする場合は、例えば第１ホルダー部材３１Ｌを把持し、図８において時計方向へ回動させると、第１および第２ホルダー部材３１Ｌ，３１Ｒは第１および第２アーム４１Ａ，４１Ｂを介して連結され、第１アーム４１Ａの軸４２Ａがベース２１の孔２４ｂで案内されるので、第２ホルダー部材３１Ｒは反時計方向へ回動する。
そして、第１および第２ホルダー部材３１Ｌ，３１Ｒが直立状態となり、突起２３に当接するとともに、第１ホルダー部材３１Ｌと第２ホルダー部材３１Ｒとが接すると、係合爪４０Ｌ，４０Ｌが自身の弾性で縮閉した後に拡開することにより、第１ホルダー部材３１Ｌと第２ホルダー部材３１Ｒとを直立状態にロックする。
【００２９】
このように第１ホルダー部材３１Ｌと第２ホルダー部材３１Ｒとが直立状態にロックされると、図４に示すように、凹部１２は第１およびホルダー部材３１Ｌ，３１Ｒで２つに仕切られるので、小物を仕分けて収容することができる。
【００３０】
上記した実施形態において、ベース２１をビスで取付凹部１３Ｆ，１３Ｂに固定させて取り付けたが、ベース２１を取付凹部１３Ｆ，１３Ｂへ嵌めるだけで固定し、着脱可能にすると、凹部１２内をカップホルダーとして使用しない場合、ベース２１〜ストッパ５１の各部品を凹部１２から取り去ることにより、凹部１２内を１つの大きな収容部として使用することもできる。
【００３１】
また、ベース２１を介して第１および第２ホルダー部材３１Ｌ，３１Ｒを凹部１２内に取り付け、ベース２１、第１および第２アーム４１Ａ，４１Ｂからなるリンク機構を設けたが、第１および第２ホルダー部材３１Ｌ，３１Ｒを直接凹部１２内に回動可能に取り付け、同様に機能するリンク機構を設けたり、またはリンク機構を設けなくとも、カップホルダーとして機能させることができる。
【００３２】
さらに、第１および第２部材３１Ｌ，３１Ｒを広げながら下降させる構成としたが、回動中心端側を上にし、第１および第２部材３１Ｌ，３１Ｒを広げながら上昇させる構成としてもよい。この場合、第１および第２部材３１Ｌ，３１Ｒを水平状態に係止させる係止手段は、弾性を有する係合爪を係止部に係止させる構成とすればよい。また、凹部１２内をカップホルダーとして使用しないときには、第１および第２部材３１Ｌ，３１Ｒは垂下するので、ロック機構を設けなくともよい。
【００３３】
【発明の効果】
以上のように、この発明によれば、一対のホルダー部材を水平状態に係止させるとカップホルダーとなり、カップホルダーとして利用しないときの一対のホルダー部材は凹部の仕切となるので、凹部を一対のホルダー部材で２つに仕切り、小物を仕分けて収容することができる。
そして、一対のホルダー部材を連結し、同期して回動させるリンク機構を設けたので、ワンタッチで一対のホルダー部材を開閉させることができる。
さらに、凹部の底に、一対のホルダー部材で固定できない被保持体の底部分を位置決めする窪みを設けたので、１つのホルダー孔で径の異なる複数の被保持体に対応することができる。
【図面の簡単な説明】
【図１】この発明の一実施形態であるカップホルダー構造をセンターコンソールに適用して蓋を開放した状態の概略を示す斜視図である。
【図２】カップホルダー構造の構成部品を示す分解斜視図である。
【図３】  第１ホルダー部材と第２ホルダー部材とをロックさせて立たせた状態の正面図である。
【図４】図３の状態における平面図である。
【図５】図３の状態における右側面図である。
【図６】第１および第２ホルダー部材を水平状態に係止させた状態の正面図である。
【図７】図６の状態における平面図である。
【図８】図６の状態における右側面図である。
【図９】各被保持物を保持させた状態の説明図である。
【符号の説明】
１１            センターコンソール
１２            凹部
１３Ｆ，１３Ｂ  取付凹部
１４Ｌ，１４Ｒ  段部
１５Ａ          第１窪み
１５Ｂ          第２窪み
２１            ベース
２２            軸支孔
２３            突起
２４            ガイド溝
２４ａ，２４ｂ  孔
３１Ｌ          第１ホルダー部材
３１Ｒ          第２ホルダー部材
３２Ｌ，３２Ｒ  軸
３３Ｌ，３３Ｒ  軸
３２ａ，３３ａ  鍔
３２ｂ，３３ｂ  割溝
３４Ｌ，３４Ｒ  切欠部
３５Ｌ，３５Ｒ  軸支孔
３６Ｌ，３６Ｒ  軸支孔
３７Ｌ，３７Ｒ  孔
３８Ｌ，３８Ｌ  孔
３９Ｌ          保護部
３９Ｒ          切欠部
４０Ｌ          係合爪
４１Ａ          第１アーム
４１Ｂ          第２アーム
４２Ａ          軸
４２Ｂ          孔
４３Ａ          鍔
４４Ａ，４４Ｂ  軸
４５Ａ，４５Ｂ  周回溝
５１            ストッパ
Ｂ，Ｍ，Ｓ      被保持体
【図１】
0003729978.tif 000002
【図２】
0003729978.tif 000003
【図３】
0003729978.tif 000004
【図４】
0003729978.tif 000005
【図５】
0003729978.tif 000006
【図６】
0003729978.tif 000007
【図７】
0003729978.tif 000008
【図８】
0003729978.tif 000009
【図９】
0003729978.tif 000010